【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
印刷ヘッドを搭載したキャリッジを、記録媒体に対峙する印刷位置と、前記印刷位置とは異なる退避位置との間で移動させるための印刷ヘッド移動機構であって、
前記記録媒体の搬送方向において、当該記録媒体を搬送する搬送ローラーの下流側もしくは上流側において当該記録媒体の外側に延びている前記キャリッジの一端を中心として当該キャリッジを回転させるキャリッジ回転手段と、
前記記録媒体に対して前記キャリッジを接近および離反させるキャリッジ位置調整手段を有し、
前記印刷位置では、前記キャリッジは、前記搬送ローラーの前記上流側もしくは前記下流側のどちらか一方の側に位置しており、
前記キャリッジ位置調整手段は、
前記キャリッジの回転位置に応じて前記キャリッジを前記記録媒体から離反させて、前記搬送ローラーと干渉することのない位置まで移動させることを特徴とする印刷ヘッド移動機構。
【請求項２】
請求項１において、
前記退避位置は、記録媒体の外側に退避した位置であることを特徴とする印刷ヘッド移動機構。
【請求項３】
請求項１において、
前記退避位置は、前記キャリッジが、前記搬送ローラーの前記上流側及び前記下流側から外れた場所に位置していることを特徴とする印刷ヘッド移動機構。
【請求項４】
請求項１において、
前記キャリッジ回転手段は、
前記搬送ローラーの下流側に位置している前記キャリッジの一端を中心として当該キャリッジを回転させ、
前記印刷位置では、前記キャリッジの他端が前記搬送ローラーの下流側に位置しており、
前記退避位置では、前記キャリッジの他端が前記搬送ローラーの上流側または下流側に位置していることを特徴とする印刷ヘッド移動機構。
【請求項５】
請求項１ないし４のいずれかの項において、
前記キャリッジ位置調整手段は、前記キャリッジの回転軸線に沿った方向に前記キャリッジを往復移動させることを特徴とする印刷ヘッド移動機構。
【請求項６】
請求項１ないし５のいずれかの項において、
前記退避位置は、前記記録媒体の外側に配置されたメンテナンスユニットに前記印刷ヘッドが対峙する位置であることを特徴とする印刷ヘッド移動機構。
【請求項７】
請求項６において、
前記退避位置は、前記搬送ローラーと干渉することのない位置まで前記キャリッジが前記記録媒体から離反した位置であると共に、当該退避位置に位置決めされた前記印刷ヘッドを前記メンテナンスユニットへ下降させることなく、当該印刷ヘッドのメンテナンスを実行可能な位置であることを特徴とする印刷ヘッド移動機構。
【請求項８】
請求項１ないし５のいずれかの項に記載の印刷ヘッド移動機構と、
前記印刷位置において前記記録媒体における印刷領域の幅方向の一端から他端までの範囲にインクを吐出可能に構成された印刷ヘッドと、
当該印刷ヘッドを搭載しており、前記印刷ヘッド移動機構によって前記印刷位置および前記退避位置の間を移動するキャリッジと、
前記印刷位置を経由する搬送経路に沿って前記記録媒体を搬送するための搬送ローラーと、
前記退避位置に移動した前記印刷ヘッドのメンテナンスを行うためのメンテナンスユニットとを有することを特徴とするプリンター。
【手続補正２】
【補正対象書類名】明細書
【補正対象項目名】０００９
【補正方法】変更
【補正の内容】
【０００９】
上記の課題を解決するために、本発明は、印刷ヘッドを搭載したキャリッジを、記録媒体に対峙する印刷位置と、前記印刷位置とは異なる退避位置との間で移動させるための印刷ヘッド移動機構であって、
前記記録媒体の搬送方向において、当該記録媒体を搬送する搬送ローラーの下流側もしくは上流側において当該記録媒体の外側に延びている前記キャリッジの一端を中心として当該キャリッジを回転させるキャリッジ回転手段と、
前記記録媒体に対して前記キャリッジを接近および離反させるキャリッジ位置調整手段を有し、
前記印刷位置では、前記キャリッジは、前記搬送ローラーの前記上流側もしくは前記下流側のどちらか一方の側に位置しており、
前記キャリッジ位置調整手段は、
前記キャリッジの回転位置に応じて前記キャリッジを前記記録媒体から離反させて、前記搬送ローラーと干渉することのない位置まで移動させることを特徴としている。
【手続補正３】
【補正対象書類名】明細書
【補正対象項目名】００１０
【補正方法】変更
【補正の内容】
【００１０】
本発明は、このように、記録媒体からキャリッジを離反させて搬送ローラーと干渉することのない位置まで移動させることができるため、印刷位置の近傍に搬送ローラーを配置した場合においても、キャリッジおよび印刷ヘッドと搬送ローラーとの干渉を回避できる。よって、印刷位置の上流側に配置した搬送ローラーを印刷位置から離れた位置に退避させる必要がなく、狭いスペースに印刷機構および搬送機構を集約して配置できる。
加えて、キャリッジをその一端を中心として回転させることにより、印刷位置では横長の姿勢になっていたキャリッジおよび印刷ヘッドを退避位置では縦長の姿勢にすることができる。従って、キャリッジおよび印刷ヘッドの退避スペースの幅を狭くすることができ、プリンターの装置幅を小さくすることができる。よって、退避スペースの削減による装置幅の削減と、印刷機構および搬送機構の集約配置とを両立でき、装置の小型化に有利である。
更に、搬送ローラーを印刷位置の近傍に配置できるため、印刷位置での記録媒体の浮きを押さえることができ、印刷精度の低下を抑制できる。
【手続補正４】
【補正対象書類名】明細書
【補正対象項目名】００１１
【補正方法】変更
【補正の内容】
【００１１】
本発明において、前記キャリッジ回転手段は、前記搬送ローラーの下流側に位置している前記キャリッジの一端を中心として当該キャリッジを回転させ、前記印刷位置では、前記キャリッジの他端が前記搬送ローラーの下流側に位置しており、前記退避位置では、前記キャリッジの他端が前記搬送ローラーの上流側または下流側に位置していることが望ましい。
【手続補正５】
【補正対象書類名】明細書
【補正対象項目名】００１３
【補正方法】変更
【補正の内容】
【００１３】
また、本発明において、前記退避位置は、前記記録媒体の外側に退避した位置、或いは前記搬送ローラーの前記上流側及び前記下流側から外れた位置あることが望ましい。また、前記退避位置は、前記記録媒体の外側に配置されたメンテナンスユニットに前記印刷ヘッドが対峙する位置であることが望ましい。このようにすると、退避位置において印刷ヘッドのメンテナンスを行うことができる。
【手続補正６】
【補正対象書類名】明細書
【補正対象項目名】００１４
【補正方法】変更
【補正の内容】
【００１４】
ここで、前記退避位置は、前記搬送ローラーと干渉することのない位置まで前記キャリッジが前記記録媒体から離反した位置であると共に、当該退避位置に位置決めされた前記印刷ヘッドを前記メンテナンスユニットへ下降させることなく、当該印刷ヘッドのメンテナンスを実行可能な位置であることが望ましい。このようにすると、搬送ローラーとの干渉を回避するために記録媒体から離反させたキャリッジを、退避位置においてメンテナンスを行うために再度下降させる必要がない。また、退避位置から印刷位置に復帰させる際に再度キャリッジを離反させる必要がない。従って、キャリッジを退避させるのに必要な移動時間、および、印刷位置にキャリッジを復帰させるのに必要な移動時間を短縮できる。